【手続補正書】
【提出日】平成23年2月3日(2011.2.3)
【手続補正１】
【補正対象書類名】特許請求の範囲
【補正対象項目名】全文
【補正方法】変更
【補正の内容】
【特許請求の範囲】
【請求項１】
走行しているウェブに、少なくとも１つの前記ウェブの走行にあわせて接触面が回転する磁性材料または磁性材料を含むものを用いて構成された第１の帯状環状体である給電電極を圧接することにより密着させて給電する給電方法であって、前記給電電極の前記接触面に対して、前記ウェブの側に圧接する面状の圧力を磁力によって付与し、前記ウェブの幅方向における前記接触面の接触幅が前記ウェブの幅よりも小さいことを特徴とする給電方法。
【請求項２】
前記ウェブの前記面状の圧力の方向の反対側に設けた反力付与手段により前記磁力に対する反力を付与することを特徴とする請求項１に記載の給電方法。
【請求項３】
前記反力は、前記ウェブを前記給電電極の接触面との間で挟むよう配設され張設された第２の帯状環状体を備えた反力付与手段により行うことを特徴とする請求項２に記載の給電方法。
【請求項４】
前記反力は、少なくとも１つの反力付与回転体を用いて付与することを特徴とする請求項２に記載の給電方法。
【請求項５】
表面に導電性薄膜を付与したウェブを連続的に走行させながらめっき処理槽内で電解めっきを施してめっき膜付きウェブを製造する連続電解めっき装置に用いられる給電方法であって、請求項１〜４のいずれかに記載の給電方法によって前記第１の帯状環状体である給電電極を前記ウェブに圧接し、前記給電電極の前記ウェブとの接触面が導電性を有し、かつ、めっき用電源と電気的に接続されたものを用い、前記給電電極を経由して前記ウェブの導電面に給電することを特徴とする給電方法。
【請求項６】
前記給電電極のウェブ導電面との接触面積を、次式を満足する範囲内とすることを特徴とする請求項５に記載の給電方法。
【数１】
2008266784.tif 000001
Ａ：前記接触面の導電性薄膜の面への接触面積［ｍｍ２］
Ｉ：投入する電流値［Ａ］
Ｒ：接触部の接触抵抗値［Ω］
ｔ：前記接触面が接触する導電膜の膜厚［ｍｍ］
ＱＬ：限界熱量係数［Ｗ／ｍｍ３］＝８．５×１０３Ｗ／ｍｍ３
【請求項７】
走行するウェブに対し、第１の帯状環状体である給電電極に圧接力を付与して前記ウェブに密着させて給電する給電装置であって、少なくとも１つの前記給電電極と、前記給電電極の内側または外側または内外両側に配設され前記給電電極に張力を与える少なくとも２つのプーリーと、前記給電電極の前記ウェブの走行経路に接する部位であって、前記プーリーのうち隣接する少なくとも２つの前記プーリーの間における前記給電電極の接触面に対し、前記ウェブの走行経路の側に圧接する面状の圧力を磁力によって付与する手段とを有することを特徴とする給電装置。
【請求項８】
前記給電電極は磁性材料の表面に耐食性導電性薄膜を付与したものであることを特徴とする請求項７に記載の給電装置。
【請求項９】
前記給電電極は磁性材料の表面に耐食性導電性薄膜を付与したものであって、前記磁性材料の幅方向両端エッジ部にＲ面取りを施してなることを特徴とする請求項７または８に記載の給電装置。
【請求項１０】
前記面状圧力付与手段と前記ウェブの走行経路との間に前記磁力による引力に対する反力を付与する反力付与手段を配設することを特徴とする請求項７〜９のいずれかに記載の給電装置。
【請求項１１】
前記反力付与手段は、少なくとも１つの第２の帯状環状体と、前記第２の帯状環状体の内側および／または外側に配設され前記第２の帯状環状体に張力を与える少なくとも２つのプーリーとを有するものであって、前記第２の帯状環状体の前記ウェブの走行経路に接する接触面は、前記給電電極の前記ウェブの走行経路に接する部位と前記ウェブの走行経路を挟んで対向して配設されていることを特徴とする請求項１０に記載の給電装置。
【請求項１２】
前記反力付与手段は、少なくとも１つの反力付与回転体であることを特徴とする請求項１０に記載の給電装置。
【請求項１３】
請求項７〜１２のいずれかに記載の給電装置であって、前記給電電極は前記ウェブの走行経路に接する面が導電性を有するものであり、かつ、めっき用電源と電気的に接続された電極として構成されたものであることを特徴とするめっき装置用の給電装置。
【請求項１４】
表面に導電性薄膜を付与したウェブを連続的に走行させながらめっき処理槽内で電解めっきを施してめっき膜付きウェブを製造する連続電解めっき装置であって、請求項１３に記載の給電装置を前記ウェブの走行経路に沿って少なくとも１箇所に配設してなることを特徴とするウェブ用電解めっき装置。
【請求項１５】
前記給電電極を、前記ウェブの幅方向に移動させるための移動手段を有することを特徴とする請求項１４に記載のウェブ用電解めっき装置。
【請求項１６】
前記給電装置を、めっき槽の前または後または前後のめっき浴外に１箇所以上配設してなることを特徴とする請求項１４または１５に記載のウェブ用電解めっき装置。
【請求項１７】
前記給電装置を、めっき槽内のめっき浴上に少なくとも１箇所以上配設してなることを特徴とする請求項１４または１５に記載のウェブ用電解めっき装置。
【請求項１８】
前記ウェブの幅方向が、重力方向に対して略平行となるように走行させることを特徴とする請求項１４〜１７のいずれかに記載のウェブ用電解めっき装置。
【請求項１９】
少なくとも２つの請求項１４〜１８のいずれかに記載のウェブ用電解めっき装置を有する多段式電解めっき装置であって、前記給電装置の前記電極の前記導電性薄膜の面への接触面積が、上流側よりも下流側に配置された前記給電装置のほうが小さく、かつ、次式を満足するように構成されたことを特徴とするウェブ用電解めっき装置。
【数２】
2008266784.tif 000002
Ａ：前記電極の導電性薄膜の面への接触面積［ｍｍ２］
Ｉ：投入する電流値［Ａ］
Ｒ：接触部の接触抵抗値［Ω］
ｔ：前記電極が接触する導電膜の膜厚［ｍｍ］
ＱＬ：限界熱量係数［Ｗ／ｍｍ３］＝８．５×１０３Ｗ／ｍｍ３
【請求項２０】
請求項１４〜１９のいずれかに記載のウェブ用電解めっき装置を用いて製造されためっき膜付きウェブ。
【手続補正２】
【補正対象書類名】明細書
【補正対象項目名】発明の名称
【補正方法】変更
【補正の内容】
【発明の名称】給電方法、給電装置、ウェブ用電解めっき装置およびめっき膜付きウェブ
【手続補正３】
【補正対象書類名】明細書
【補正対象項目名】００１３
【補正方法】変更
【補正の内容】
【００１３】
上記目的を達成するため、本発明によれば、走行しているウェブに、少なくとも１つの前記ウェブの走行にあわせて接触面が回転する磁性材料または磁性材料を含むものを用いて構成された第１の帯状環状体である給電電極を圧接することにより密着させて給電する給電方法であって、前記給電電極の前記接触面に対して、前記ウェブの側に圧接する面状の圧力を磁力によって付与し、前記ウェブの幅方向における前記接触面の接触幅が前記ウェブの幅よりも小さいことを特徴とする給電方法が提供される。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
また、本発明の好ましい形態によれば、前記ウェブの前記面状の圧力の方向の反対側に設けた反力付与手段により前記磁力に対する反力を付与する給電方法が提供される。
【手続補正６】
【補正対象書類名】明細書
【補正対象項目名】００１６
【補正方法】変更
【補正の内容】
【００１６】
また、本発明の好ましい形態によれば、前記反力は、前記ウェブを前記給電電極の接触面との間で挟むよう配設され張設された第２の帯状環状体を備えた反力付与手段により行う給電方法が提供される。
【手続補正７】
【補正対象書類名】明細書
【補正対象項目名】００１７
【補正方法】変更
【補正の内容】
【００１７】
また、本発明の好ましい形態によれば、前記反力は、少なくとも１つの反力付与回転体を用いて付与する給電方法が提供される。
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】変更
【補正の内容】
【００２５】
また、本発明の別の形態によれば、表面に導電性薄膜を付与したウェブを連続的に走行させながらめっき処理槽内で電解めっきを施してめっき膜付きウェブを製造する連続電解めっき装置に用いられる給電方法であって、上記のいずれかに記載の給電方法によって前記第１の帯状環状体である給電電極を前記ウェブに圧接し、前記給電電極の前記ウェブとの接触面が導電性を有し、かつ、めっき用電源と電気的に接続されたものを用い、前記給電電極を経由して前記ウェブの導電面に給電することを特徴とする給電方法が提供される。
【手続補正１６】
【補正対象書類名】明細書
【補正対象項目名】００２６
【補正方法】変更
【補正の内容】
【００２６】
また、本発明の好ましい形態によれば、前記給電電極のウェブ導電面との接触面積を、次式を満足する範囲内とする給電方法が提供される。
【手続補正１７】
【補正対象書類名】明細書
【補正対象項目名】００２８
【補正方法】変更
【補正の内容】
【００２８】
Ａ：前記接触面の導電性薄膜の面への接触面積［ｍｍ２］
Ｉ：投入する電流値［Ａ］
Ｒ：接触部の接触抵抗値［Ω］
ｔ：前記接触面が接触する導電膜の膜厚［ｍｍ］
ＱＬ：限界熱量係数［Ｗ／ｍｍ３］＝８．５×１０３Ｗ／ｍｍ３
また、本発明の別の形態によれば、走行するウェブに対し、第１の帯状環状体である給電電極に圧接力を付与して前記ウェブに密着させて給電する給電装置であって、少なくとも１つの前記給電電極と、前記給電電極の内側または外側または内外両側に配設され前記給電電極に張力を与える少なくとも２つのプーリーと、前記給電電極の前記ウェブの走行経路に接する部位であって、前記プーリーのうち隣接する少なくとも２つの前記プーリーの間における前記給電電極の接触面に対し、前記ウェブの走行経路の側に圧接する面状の圧力を磁力によって付与する手段とを有する給電装置が提供される。
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】変更
【補正の内容】
【００３０】
また、本発明の好ましい形態によれば、前記給電電極は磁性材料の表面に耐食性導電性薄膜を付与したものである給電装置が提供される。
【手続補正２０】
【補正対象書類名】明細書
【補正対象項目名】００３１
【補正方法】変更
【補正の内容】
【００３１】
また、本発明の好ましい形態によれば、前記給電電極は磁性材料の表面に耐食性導電性薄膜を付与したものであって、前記磁性材料の幅方向両端エッジ部にＲ面取りを施してなる給電装置が提供される。
【手続補正２１】
【補正対象書類名】明細書
【補正対象項目名】００３２
【補正方法】変更
【補正の内容】
【００３２】
また、本発明の好ましい形態によれば、前記面状圧力付与手段と前記ウェブの走行経路との間に前記磁力による引力に対する反力を付与する反力付与手段を配設する給電装置が提供される。
【手続補正２２】
【補正対象書類名】明細書
【補正対象項目名】００３３
【補正方法】変更
【補正の内容】
【００３３】
また、本発明の好ましい形態によれば、前記反力付与手段は、少なくとも１つの第２の帯状環状体と、前記第２の帯状環状体の内側および／または外側に配設され前記第２の帯状環状体に張力を与える少なくとも２つのプーリーとを有するものであって、前記第２の帯状環状体の前記ウェブの走行経路に接する接触面は、前記給電電極の前記ウェブの走行経路に接する部位と前記ウェブの走行経路を挟んで対向して配設されている給電装置が提供される。
【手続補正２３】
【補正対象書類名】明細書
【補正対象項目名】００３４
【補正方法】変更
【補正の内容】
【００３４】
また、本発明の好ましい形態によれば、前記反力付与手段は、少なくとも１つの反力付与回転体である給電装置が提供される。
【手続補正２４】
【補正対象書類名】明細書
【補正対象項目名】００３５
【補正方法】削除
【補正の内容】
【手続補正２５】
【補正対象書類名】明細書
【補正対象項目名】００３６
【補正方法】削除
【補正の内容】
【手続補正２６】
【補正対象書類名】明細書
【補正対象項目名】００３７
【補正方法】削除
【補正の内容】
【手続補正２７】
【補正対象書類名】明細書
【補正対象項目名】００３８
【補正方法】削除
【補正の内容】
【手続補正２８】
【補正対象書類名】明細書
【補正対象項目名】００３９
【補正方法】削除
【補正の内容】
【手続補正２９】
【補正対象書類名】明細書
【補正対象項目名】００４０
【補正方法】削除
【補正の内容】
【手続補正３０】
【補正対象書類名】明細書
【補正対象項目名】００４１
【補正方法】変更
【補正の内容】
【００４１】
また、本発明の別の形態によれば、上記のいずれかに記載の給電装置であって、前記給電電極は前記ウェブの走行経路に接する面が導電性を有するものであり、かつ、めっき用電源と電気的に接続された電極として構成されたものであることを特徴とするめっき装置用の給電装置が提供される。
【手続補正３１】
【補正対象書類名】明細書
【補正対象項目名】００４３
【補正方法】変更
【補正の内容】
【００４３】
また、本発明の好ましい形態によれば、前記給電電極を、前記ウェブの幅方向に移動させるための移動手段を有するウェブ用電解めっき装置が提供される。
【手続補正３２】
【補正対象書類名】明細書
【補正対象項目名】００４４
【補正方法】変更
【補正の内容】
【００４４】
また、本発明の好ましい形態によれば、前記給電装置を、めっき槽の前または後または前後のめっき浴外に１箇所以上配設してなるウェブ用電解めっき装置が提供される。